(57)【要約】【課題】明るい画像が得られるとともに、諸収差を効果的に補正することで高い結像性能を維持し、高画素の固体撮像素子に対応可能な解像力を備えた、小型、軽量で安価なレンズ系を提供する。【解決手段】このレンズ系は、物体側から順に、正の屈折力を有する第１レンズ群Ｇ11と、絞りＳと、正の屈折力を有する第２レンズ群Ｇ12と、が配置されて構成される。第１レンズ群Ｇ11は、物体側から順に、メニスカス形状の正レンズＬ111と、正レンズＬ112と、物体側に凸面を向けたメニスカス形状の負レンズＬ113と、が配置されて構成される。第２レンズ群Ｇ12は、物体側から順に、負レンズＬ121と、正レンズＬ122と、正レンズＬ123と、が配置されて構成される。そして、所定の条件を満足することにより、大口径比化、高解像力化を実現することができる。【選択図】図１
2014085460.tif 000002
【特許請求の範囲】
【請求項１】
物体側より順に配置された、正の屈折力を有する第１レンズ群と、絞りと、正の屈折力を有する第２レンズ群と、からなるレンズ系であって、
前記第２レンズ群は、物体側より順に配置された、負レンズと、正レンズと、正レンズと、からなっており、
以下に示す条件式を満足することを特徴とするレンズ系。
（１）  ｎｄ２３＞１．９
（２）  ０．４≦ｆ２３／ｆ≦１．２
ただし、ｎｄ２３は前記第２レンズ群の最も像側に配置された正レンズのｄ線に対する屈折率、ｆ２３は前記第２レンズ群の最も像側に配置された正レンズの焦点距離、ｆは光学系全系の焦点距離を示す。
【請求項２】
前記第１レンズ群は、物体側より順に配置された、メニスカス形状の正レンズと、正レンズと、物体側に凸面を向けたメニスカス形状の負レンズと、からなっており、
以下に示す条件式を満足することを特徴とする請求項１に記載のレンズ系。
（３）  νｄ１３＜２３
ただし、νｄ１３は前記第１レンズ群の最も像側に配置された負レンズのｄ線に対するアッベ数を示す。
【発明の詳細な説明】
【技術分野】
【０００１】
本発明は、固体撮影素子が搭載されたカメラ、特に監視カメラに好適な、小型、軽量のレンズ系に関する。
【背景技術】
【０００２】
監視カメラに広く用いられるレンズ系として、いわゆるダブルガウス型のレンズ系がある（たとえば、特許文献１〜３を参照。）。
【０００３】
特許文献１に記載のレンズ系は、６枚のレンズで構成され、Ｆナンバーが２．８程度である。特許文献２に記載のレンズ系は、８枚のレンズで構成され、Ｆナンバーが１．２〜１．４程度である。また、特許文献３に記載のレンズ系は、７〜８枚のレンズで構成され、Ｆナンバーが１．４〜２．０程度である。
【先行技術文献】
【特許文献】
【０００４】
【特許文献１】特許第４８２４９８１号
【特許文献２】特許第４９２１０４５号
【特許文献３】特開２０１０−７２３５９号公報
【発明の概要】
【発明が解決しようとする課題】
【０００５】
ところで、監視カメラ、特に交通監視用のカメラに搭載されるズームレンズとしては、夜間や薄暗い場所でも良好に監視できる大口径比のレンズ系が望まれてきた。加えて、近年、急激な固体撮像素子（ＣＣＤやＣＭＯＳ等）の高画素化が進んだことで、高画素の固体撮像素子（被写体のより細かな特徴を確認できる３００万画素以上）に対応可能な高解像力を備えたレンズ系が要求されている。
【０００６】
また、監視カメラの小型化、軽量化の要求も強いことから、監視カメラに搭載されるレンズ系にも小型、軽量のものが望まれている。さらに、新興国への進出のため、安価なレンズ系も求められている。
【０００７】
特許文献１に記載のレンズ系は、６枚のレンズで構成されており、全系の小型化が図られている。しかしながら、このレンズ系は、Ｆナンバーが大きいため、明るさを欠き、高画質の画像を得ることは困難である。
【０００８】
特許文献２，３に記載のレンズ系は、Ｆナンバーが小さいので、明るい画像を得ることができる。しかしながら、これらのレンズ系は、７〜８枚のレンズで構成されているため、全系の小型化、軽量化が図られているとは云いがたい。特に、絞りより像側に４枚以上のレンズが配置されているため、レンズ系の全長が長くなっている。さらに、レンズ系を構成しているレンズ枚数が多いため、高価である。
【０００９】
本発明は、上述した従来技術による問題点を解消するため、明るい画像が得られるとともに、諸収差を効果的に補正することで高い結像性能を維持し、高画素の固体撮像素子に対応可能な解像力を備えた、小型、軽量で安価なレンズ系を提供することを目的とする。
【課題を解決するための手段】
【００１０】
上述した課題を解決し、目的を達成するため、本発明にかかるレンズ系は、物体側より順に配置された、正の屈折力を有する第１レンズ群と、絞りと、正の屈折力を有する第２レンズ群と、からなるレンズ系であって、前記第２レンズ群は、物体側より順に配置された、負レンズと、正レンズと、正レンズと、からなっており、以下に示す条件式を満足することを特徴とする。
（１）  ｎｄ２３＞１．９
（２）  ０．４≦ｆ２３／ｆ≦１．２
ただし、ｎｄ２３は前記第２レンズ群の最も像側に配置された正レンズのｄ線に対する屈折率、ｆ２３は前記第２レンズ群の最も像側に配置された正レンズの焦点距離、ｆは光学系全系の焦点距離を示す。
【００１１】
本発明によれば、明るい画像が得られるとともに、諸収差を効果的に補正することで高い結像性能を維持し、高画素の固体撮像素子に対応可能な解像力を備えた、小型、軽量で安価なレンズ系を提供することができる。
【００１２】
本発明にかかるレンズ系は、前記発明において、前記第１レンズ群が、物体側より順に配置された、メニスカス形状の正レンズと、正レンズと、物体側に凸面を向けたメニスカス形状の負レンズと、からなっており、以下に示す条件式を満足することを特徴とする。
（３）  νｄ１３＜２３
ただし、νｄ１３は前記第１レンズ群の最も像側に配置された負レンズのｄ線に対するアッベ数を示す。
【００１３】
本発明によれば、色収差を良好に補正することで、さらに結像性能が向上したレンズ系を実現することができる。
【発明の効果】
【００１４】
本発明によれば、明るい画像が得られるとともに、諸収差を効果的に補正することで高い結像性能を維持し、高画素の固体撮像素子に対応可能な解像力を備えた、小型、軽量で安価なレンズ系を提供することができるという効果を奏する。
【図面の簡単な説明】
【００１５】
【図１】実施例１にかかるレンズ系の構成を示す光軸に沿う断面図である。
【図２】実施例１にかかるレンズ系のｄ線に対する諸収差図である。
【図３】実施例２にかかるレンズ系の構成を示す光軸に沿う断面図である。
【図４】実施例２にかかるレンズ系のｄ線に対する諸収差図である。
【図５】実施例３にかかるレンズ系の構成を示す光軸に沿う断面図である。
【図６】実施例３にかかるレンズ系のｄ線に対する諸収差図である。
【図７】実施例４にかかるレンズ系の構成を示す光軸に沿う断面図である。
【図８】実施例４にかかるレンズ系のｄ線に対する諸収差図である。
【発明を実施するための形態】
【００１６】
以下、本発明にかかるレンズ系の好適な実施の形態を詳細に説明する。
【００１７】
本発明にかかるレンズ系は、物体側より順に配置された、正の屈折力を有する第１レンズ群と、絞りと、正の屈折力を有する第２レンズ群と、からなる。このレンズ系では、レンズ系全体を光軸に沿って移動させることにより、フォーカシングを行う。
【００１８】
本発明は、明るい画像が得られるとともに、諸収差を効果的に補正することで高い結像性能を維持し、高画素の固体撮像素子に対応可能な解像力を備えた、小型、軽量で安価なレンズ系を提供することを目的としている。かかる目的を達成するため、上記構成に加え、以下に示すような各種条件を設定している。
【００１９】
まず、本発明にかかるレンズ系は、第２レンズ群を、物体側より順に、負レンズと、正レンズと、正レンズと、を配置して構成する。第２レンズ群を、負、正、正の３枚レンズで構成することにより、第２レンズ群の小型化、軽量化、低コスト化を実現することができる。
【００２０】
そして、かかる構成において、第２レンズ群の最も像側に配置された正レンズのｄ線に対する屈折率をｎｄ２３、第２レンズ群の最も像側に配置された正レンズの焦点距離をｆ２３、光学系全系の焦点距離をｆとするとき、次の条件式を満足することが好ましい。
（１）  ｎｄ２３＞１．９
（２）  ０．４≦ｆ２３／ｆ≦１．２
【００２１】
条件式（１）は、第２レンズ群の最も像側に配置された正レンズのｄ線に対する屈折率の適切な範囲を規定している。条件式（１）を満足することにより、レンズ系全系で発生する球面収差やコマ収差を良好に補正し、高い結像性能を得ることができる。
【００２２】
条件式（１）においてその下限を下回ると、球面収差やコマ収差の補正が困難になる。また、レンズ系全体のペッツバール和も大きくなることによって、結像性能が劣化する。
【００２３】
条件式（２）は、第２レンズ群の最も像側に配置された正レンズの焦点距離と光学系全系の焦点距離との比の適切な範囲を規定している。条件式（２）を満足することにより、レンズ系全長の短縮と結像性能の維持とを両立させることができる。
【００２４】
条件式（２）においてその上限を超えると、第２レンズ群の最も像側に配置された正レンズの屈折力が弱くなりすぎる。この場合、レンズ系の全長が延び、レンズ系の小型化が阻害される。加えて、球面収差とコマ収差の補正が困難になり、結像性能が劣化する。一方、条件式（２）においてその下限を下回ると、第２レンズ群の最も像側に配置された正レンズの屈折力が強くなりすぎる。この場合、レンズ系の全長が短くなり、レンズ系の小型化には有利となる。しかしながら、非点収差と像面湾曲の補正が困難になり、結像性能が劣化するため、好ましくない。
【００２５】
明るいレンズでは、諸収差が目立ちやすい傾向にある。そこで、明るいレンズを実現しようとする場合、諸収差を効果的に補正するため、条件式（１），（２）を満足することがより有効である。特に、条件式（１），（２）を満足することによって、大口径比化に伴って発生が顕著になる諸収差を良好に補正し、高い結像性能が得られる。
【００２６】
また、条件式（１），（２）を満足すれば、第２レンズ群をすべて球面レンズで構成しても、諸収差を良好に補正することが可能になるため、レンズ系の製造コストを低減することができる。
【００２７】
なお、上記条件式（１），（２）は、次に示す範囲を満足すると、より好ましい効果が期待できる。
（１ａ）  ｎｄ２３＞１．９５
（２ａ）  ０．６≦ｆ２３／ｆ≦１．０
条件式（１ａ），（２ａ）で規定する範囲を満足することにより、レンズ系の十分な小型化を図りながら、結像性能をより向上させることができる。
【００２８】
さらに、本発明にかかるレンズ系は、第１レンズ群を、物体側より順に、メニスカス形状の正レンズと、正レンズと、物体側に凸面を向けたメニスカス形状の負レンズと、を配置して構成する。第１レンズ群を、正、正、負の３枚レンズで構成することにより、第１レンズ群の小型化、軽量化、低コスト化を実現することができる。
【００２９】
そして、かかる構成において、第１レンズ群の最も像側に配置された負レンズのｄ線に対するアッベ数をνｄ１３とするとき、次の条件式を満足することが好ましい。
（３）  νｄ１３＜２３
【００３０】
条件式（３）は、第１レンズ群の最も像側に配置された負レンズのｄ線のアッベ数の適切な範囲を規定している。明るいレンズほど色収差が目立つ傾向にあるため、明るいレンズを実現しようとする場合、色収差の効果的な補正は必須となる。そこで、本発明では条件式（３）を設定している。条件式（３）を満足することにより、レンズ系内の正レンズにより発生した軸上色収差と倍率色収差を、当該負レンズで同量の軸上色収差と倍率色収差を逆方向に発生させて打ち消すことが可能になり、レンズ系全系で発生する色収差を良好に補正することができる。
【００３１】
条件式（３）においてその上限を超えると、第１レンズ群の最も像側に配置された負レンズにおいて、補正に必要な色収差量を発生させることができなくなり、結果としてレンズ系全系で発生する色収差が増大してしまう。
【００３２】
また、条件式（３）を満足すれば、第１レンズ群をすべて球面レンズで構成しても、色収差を良好に補正することが可能になるため、レンズ系の製造コストをさらに低減することができる。
【００３３】
なお、上記条件式（３）は、次に示す範囲を満足すると、より好ましい効果が期待できる。
（３ａ）  νｄ１３＜２０
この条件式（３ａ）で規定する範囲を満足することにより、明るいレンズに必須の条件となる色収差の補正をより良好に行うことができる。
【００３４】
以上説明したように、本発明にかかるレンズ系は、上記構成を備えることにより、明るい画像が得られるとともに、諸収差を効果的に補正することで高い結像性能を維持し、高画素の固体撮像素子に対応可能な解像力を備えることができる。
【００３５】
特に、第２レンズ群を、物体側より順に、負レンズと、正レンズと、正レンズと、を配置して構成し、条件式（１），（２）を満足することによって、レンズ系の小型化を図りながら、大口径比化に伴って発生が顕著になる諸収差を良好に補正し、高い結像性能が得られる。さらに、第１レンズ群を、物体側より順に、メニスカス形状の正レンズと、正レンズと、物体側に凸面を向けたメニスカス形状の負レンズと、を配置し、条件式（３）を満足することによって、大口径比化に伴って発生が顕著になる色収差を良好に補正することができる。
【００３６】
さらに、条件式（１）〜（３）を満足すれば、第１レンズ群および第２レンズ群をすべて球面レンズで構成しても、諸収差を良好に補正することが可能になるため、レンズ系の製造コストを低減することができる。
【００３７】
以下、本発明にかかるレンズ系の実施例を図面に基づき詳細に説明する。なお、以下の実施例により本発明が限定されるものではない。
【実施例１】
【００３８】
図１は、実施例１にかかるレンズ系の構成を示す光軸に沿う断面図である。このレンズ系は、図示しない物体側から順に、正の屈折力を有する第１レンズ群Ｇ11と、絞りＳと、正の屈折力を有する第２レンズ群Ｇ12と、が配置されて構成される。このレンズ系では、レンズ系全体を光軸に沿って移動させることにより、フォーカシングを行う。
【００３９】
第１レンズ群Ｇ11は、物体側から順に、メニスカス形状の正レンズＬ111と、正レンズＬ112と、物体側に凸面を向けたメニスカス形状の負レンズＬ113と、が配置されて構成される。
【００４０】
第２レンズ群Ｇ12は、物体側から順に、負レンズＬ121と、正レンズＬ122と、正レンズＬ123と、が配置されて構成される。負レンズＬ121と正レンズＬ122とは、接合されている。
【００４１】
以下、実施例１にかかるレンズ系に関する各種数値データを示す。
【００４２】
（レンズデータ）
ｒ1＝29.862
ｄ1＝4.20    ｎｄ1＝1.61800    νｄ1＝63.39
ｒ2＝100.672
ｄ2＝0.15
ｒ3＝18.238
ｄ3＝4.60    ｎｄ2＝1.88100    νｄ2＝40.14
ｒ4＝22.818
ｄ4＝1.10
ｒ5＝15.195
ｄ5＝3.90    ｎｄ3＝1.95906    νｄ3＝17.47
ｒ6＝9.170
ｄ6＝7.21
ｒ7＝∞（絞り）
ｄ7＝5.07
ｒ8＝-13.054
ｄ8＝1.30    ｎｄ4＝1.80809    νｄ4＝22.76
ｒ9＝23.695
ｄ9＝7.00    ｎｄ5＝1.881    νｄ5＝40.14
ｒ10＝-18.090
ｄ10＝3.26
ｒ11＝27.799
ｄ11＝2.82    ｎｄ6＝2.001    νｄ6＝29.13
ｒ12＝-1800.000
ｄ12＝14.09
ｒ13＝∞（像面）
【００４３】
レンズ系全系の焦点距離（ｆ）＝35.0
Ｆナンバー（Ｆｎｏ．）＝1.22
半画角（ω）＝7.80
【００４４】
（条件式（１）に関する数値）
ｎｄ２３（正レンズＬ123のｄ線に対する屈折率）＝2.001
【００４５】
（条件式（２）に関する数値）
ｆ２３（正レンズＬ123の焦点距離）＝27.37
ｆ２３／ｆ＝0.787
【００４６】
（条件式（３）に関する数値）
νｄ１３（負レンズＬ113のｄ線に対するアッベ数）＝17.47
【００４７】
図２は、実施例１にかかるレンズ系のｄ線（λ＝５８７．５６ｎｍ）に対する諸収差図である。なお、非点収差図におけるＳ，Ｍは、それぞれサジタル像面、メリディオナル像面に対する収差を表す。
【実施例２】
【００４８】
図３は、実施例２にかかるレンズ系の構成を示す光軸に沿う断面図である。このレンズ系は、図示しない物体側から順に、正の屈折力を有する第１レンズ群Ｇ21と、絞りＳと、正の屈折力を有する第２レンズ群Ｇ22と、が配置されて構成される。このレンズ系では、レンズ系全体を光軸に沿って移動させることにより、フォーカシングを行う。
【００４９】
第１レンズ群Ｇ21は、物体側から順に、メニスカス形状の正レンズＬ211と、正レンズＬ212と、物体側に凸面を向けたメニスカス形状の負レンズＬ213と、が配置されて構成される。
【００５０】
第２レンズ群Ｇ22は、物体側から順に、負レンズＬ221と、正レンズＬ222と、正レンズＬ223と、が配置されて構成される。負レンズＬ221と正レンズＬ222とは、接合されている。
【００５１】
以下、実施例２にかかるレンズ系に関する各種数値データを示す。
【００５２】
（レンズデータ）
ｒ1＝29.908
ｄ1＝3.80    ｎｄ1＝1.77250    νｄ1＝49.62
ｒ2＝97.621
ｄ2＝2.38
ｒ3＝18.141
ｄ3＝4.20    ｎｄ2＝1.88100    νｄ2＝40.14
ｒ4＝20.858
ｄ4＝1.22
ｒ5＝15.338
ｄ5＝3.90    ｎｄ3＝1.94594    νｄ3＝17.98
ｒ6＝9.170
ｄ6＝5.77
ｒ7＝∞（絞り）
ｄ7＝4.58
ｒ8＝-12.180
ｄ8＝1.30    ｎｄ4＝1.92286    νｄ4＝18.90
ｒ9＝41.403
ｄ9＝6.00    ｎｄ5＝1.881    νｄ5＝40.14
ｒ10＝-16.215
ｄ10＝4.69
ｒ11＝27.944
ｄ11＝2.95    ｎｄ6＝2.00069    νｄ6＝25.46
ｒ12＝-116.373
ｄ12＝14.09
ｒ13＝∞（像面）
【００５３】
レンズ系全系の焦点距離（ｆ）＝35.0
Ｆナンバー（Ｆｎｏ．）＝1.42
半画角（ω）＝7.81
【００５４】
（条件式（１）に関する数値）
ｎｄ２３（正レンズＬ223のｄ線に対する屈折率）＝2.00069
【００５５】
（条件式（２）に関する数値）
ｆ２３（正レンズＬ223の焦点距離）＝22.75
ｆ２３／ｆ＝0.65
【００５６】
（条件式（３）に関する数値）
νｄ１３（負レンズＬ213のｄ線に対するアッベ数）＝17.98
【００５７】
図４は、実施例２にかかるレンズ系のｄ線（λ＝５８７．５６ｎｍ）に対する諸収差図である。なお、非点収差図におけるＳ，Ｍは、それぞれサジタル像面、メリディオナル像面に対する収差を表す。
【実施例３】
【００５８】
図５は、実施例３にかかるレンズ系の構成を示す光軸に沿う断面図である。このレンズ系は、図示しない物体側から順に、正の屈折力を有する第１レンズ群Ｇ31と、絞りＳと、正の屈折力を有する第２レンズ群Ｇ32と、が配置されて構成される。このレンズ系では、レンズ系全体を光軸に沿って移動させることにより、フォーカシングを行う。
【００５９】
第１レンズ群Ｇ31は、物体側から順に、メニスカス形状の正レンズＬ311と、正レンズＬ312と、物体側に凸面を向けたメニスカス形状の負レンズＬ313と、が配置されて構成される。
【００６０】
第２レンズ群Ｇ32は、物体側から順に、負レンズＬ321と、正レンズＬ322と、正レンズＬ323と、が配置されて構成される。負レンズＬ321と正レンズＬ322とは、接合されている。
【００６１】
以下、実施例３にかかるレンズ系に関する各種数値データを示す。
【００６２】
（レンズデータ）
ｒ1＝25.218
ｄ1＝3.80    ｎｄ1＝1.58913    νｄ1＝61.25
ｒ2＝77.111
ｄ2＝0.15
ｒ3＝19.069
ｄ3＝3.20    ｎｄ2＝1.83481    νｄ2＝42.72
ｒ4＝24.385
ｄ4＝2.18
ｒ5＝14.906
ｄ5＝3.90    ｎｄ3＝1.95906    νｄ3＝17.47
ｒ6＝9.275
ｄ6＝6.05
ｒ7＝∞（絞り）
ｄ7＝5.50
ｒ8＝-11.605
ｄ8＝1.30    ｎｄ4＝1.80809    νｄ4＝22.76
ｒ9＝35.340
ｄ9＝6.00    ｎｄ5＝1.881    νｄ5＝40.14
ｒ10＝-16.184
ｄ10＝4.10
ｒ11＝28.881
ｄ11＝3.10    ｎｄ6＝2.001    νｄ6＝29.13
ｒ12＝-1800.000
ｄ12＝15.06
ｒ13＝∞（像面）
【００６３】
レンズ系全系の焦点距離（ｆ）＝35.0
Ｆナンバー（Ｆｎｏ．）＝1.42
半画角（ω）＝7.81
【００６４】
（条件式（１）に関する数値）
ｎｄ２３（正レンズＬ323のｄ線に対する屈折率）＝2.001
【００６５】
（条件式（２）に関する数値）
ｆ２３（正レンズＬ323の焦点距離）＝28.42
ｆ２３／ｆ＝0.812
【００６６】
（条件式（３）に関する数値）
νｄ１３（負レンズＬ313のｄ線に対するアッベ数）＝17.47
【００６７】
図６は、実施例３にかかるレンズ系のｄ線（λ＝５８７．５６ｎｍ）に対する諸収差図である。なお、非点収差図におけるＳ，Ｍは、それぞれサジタル像面、メリディオナル像面に対する収差を表す。
【実施例４】
【００６８】
図７は、実施例４にかかるレンズ系の構成を示す光軸に沿う断面図である。このレンズ系は、図示しない物体側から順に、正の屈折力を有する第１レンズ群Ｇ41と、絞りＳと、正の屈折力を有する第２レンズ群Ｇ42と、が配置されて構成される。このレンズ系では、レンズ系全体を光軸に沿って移動させることにより、フォーカシングを行う。
【００６９】
第１レンズ群Ｇ41は、物体側から順に、メニスカス形状の正レンズＬ411と、正レンズＬ412と、物体側に凸面を向けたメニスカス形状の負レンズＬ413と、が配置されて構成される。
【００７０】
第２レンズ群Ｇ42は、物体側から順に、負レンズＬ421と、正レンズＬ422と、正レンズＬ423と、が配置されて構成される。負レンズＬ421と正レンズＬ422とは、接合されている。
【００７１】
以下、実施例４にかかるレンズ系に関する各種数値データを示す。
【００７２】
（レンズデータ）
ｒ1＝28.699
ｄ1＝3.46    ｎｄ1＝1.61800    νｄ1＝63.39
ｒ2＝82.060
ｄ2＝0.15
ｒ3＝18.000
ｄ3＝3.45    ｎｄ2＝1.83481    νｄ2＝42.72
ｒ4＝23.807
ｄ4＝0.74
ｒ5＝14.707
ｄ5＝3.90    ｎｄ3＝1.92286    νｄ3＝18.90
ｒ6＝9.170
ｄ6＝7.05
ｒ7＝∞（絞り）
ｄ7＝4.98
ｒ8＝-12.867
ｄ8＝1.30    ｎｄ4＝1.80809    νｄ4＝22.76
ｒ9＝37.844
ｄ9＝6.00    ｎｄ5＝1.881    νｄ5＝40.14
ｒ10＝-16.294
ｄ10＝1.39
ｒ11＝36.787
ｄ11＝3.50    ｎｄ6＝2.001    νｄ6＝29.13
ｒ12＝-1800.000
ｄ12＝16.63
ｒ13＝∞（像面）
【００７３】
レンズ系全系の焦点距離（ｆ）＝35.0
Ｆナンバー（Ｆｎｏ．）＝1.42
半画角（ω）＝7.75
【００７４】
（条件式（１）に関する数値）
ｎｄ２３（正レンズＬ423のｄ線に対する屈折率）＝2.001
【００７５】
（条件式（２）に関する数値）
ｆ２３（正レンズＬ423の焦点距離）＝36.75
ｆ２３／ｆ＝1.05
【００７６】
（条件式（３）に関する数値）
νｄ１３（負レンズＬ413のｄ線に対するアッベ数）＝18.90
【００７７】
図８は、実施例４にかかるレンズ系のｄ線（λ＝５８７．５６ｎｍ）に対する諸収差図である。なお、非点収差図におけるＳ，Ｍは、それぞれサジタル像面、メリディオナル像面に対する収差を表す。
【００７８】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズのｄ線（λ＝５８７．５６ｎｍ）に対する屈折率、νｄ1，νｄ2，・・・・は各レンズのｄ線（λ＝５８７．５６ｎｍ）に対するアッベ数を示している。そして、長さの単位はすべて「ｍｍ」、角度の単位はすべて「°」である。
【００７９】
以上説明したように、上記各実施例のレンズ系は、上記構成を備えることにより、明るい画像が得られるとともに、諸収差を効果的に補正することで高い結像性能を維持し、高画素の固体撮像素子に対応可能な解像力を備えることができる。
【００８０】
特に、６枚のレンズで構成し、上記各条件式を満足することにより、Ｆナンバーが１．２〜１．４程度の大口径比でありながら、諸収差の効果的な補正が可能な高い結像性能を維持し、３００万画素以上の固体撮影素子に対応可能な高解像力を備えた小型、軽量のレンズ系を実現することができる。また、第１レンズ群および第２レンズ群をすべて球面レンズで構成しても、諸収差を良好に補正することができるため、安価なレンズ系を実現することができる。
【産業上の利用可能性】
【００８１】
以上のように、本発明にかかるレンズ系は、夜間や薄暗い場所を監視する監視カメラに有用であり、特に、昼夜を問わず鮮明な証拠画像が要求される交通監視用カメラに最適である。また、ミラーレス一眼カメラにも用いることができる。
【符号の説明】
【００８２】
Ｇ11，Ｇ21，Ｇ31，Ｇ41  第１レンズ群
Ｇ12，Ｇ22，Ｇ32，Ｇ42  第２レンズ群
Ｌ111，Ｌ112，Ｌ122，Ｌ123，Ｌ211，Ｌ212，Ｌ222，Ｌ223，Ｌ311，Ｌ312，Ｌ322，Ｌ323，Ｌ411，Ｌ412，Ｌ422，Ｌ423  正レンズ
Ｌ113，Ｌ121，Ｌ213，Ｌ221，Ｌ313，Ｌ321，Ｌ413，Ｌ421  負レンズ
Ｓ  絞り
【図１】
2014085460.tif 000003
【図２】
2014085460.tif 000004
【図３】
2014085460.tif 000005
【図４】
2014085460.tif 000006
【図５】
2014085460.tif 000007
【図６】
2014085460.tif 000008
【図７】
2014085460.tif 000009
【図８】
2014085460.tif 000010